(57)【要約】送りミーリング操作用の片面三方割出し可能な送りミーリングインサートは、ポジティブな基本形状と、すくい面と、側部当接面を含む周面と、ベース支持面と、前記すくい面と前記ベース支持面とを接続するねじ穴を含む。前記ねじ穴は、前記ベース支持面との交点にあるねじ穴底部と、前記すくい面との交点にあるねじ穴頂部を有し、ボイド体積ＶＳは、前記ねじ穴底部から前記ねじ穴頂部まで延在するボイドの体積として計算される。このインサートは、正確に３つの主切削副刃と３つの二次切削副刃を含む切削刃を有する。切削インサートの材料体積ＶＦとインサートのボイド体積ＶＳは、ＶＳ／ＶＦ≧０．３０の条件を満たす。【選択図】図１Ｂ
2021504161.tif 000002
【特許請求の範囲】
【請求項１】
ポジティブな基本形状を有する片面三方向割出し可能な切削インサートであって、
前記切削インサートの材料の量によって規定される材料体積（ＶＦ）と、
すくい面と、
前記すくい面と対向して位置するベース支持面と、
前記ベース支持面に対して垂直で、前記切削インサートの中心を通って延在するインサート軸（ＡＩ）であって、前記ベース支持面から前記すくい面に向かう上向き方向と、前記上向き方向と反対の下向き方向と、前記上向き方向および前記下向き方向に垂直で、前記インサート軸から離れるように延在する外向き方向を規定する、インサート軸（ＡＩ）と、
前記ベース支持面から前記すくい面の最高点まで、前記インサート軸に平行に測定可能な切削インサート高さ（ＨＩ）と、
前記すくい面と前記ベース支持面とを接続する周面と、
前記周面と前記すくい面との交点に沿って形成された切削刃であって、前記インサート軸（ＡＩ）と平行な図において、刃外接直径（ＤＥ）を有する仮想刃外接円（ＣＥ）を規定する、切削刃と、
前記すくい面および前記ベース支持面に開口するねじ穴であって、
前記ベース支持面との交点にあるねじ穴底部と、
前記すくい面との交点にあるねじ穴頂部と、
前記ねじ穴底部から前記ねじ穴頂部まで延在するボイドの体積として計算されるボイド体積（ＶＳ）と、
前記インサート軸（ＡＩ）に平行な図では、前記すくい面と前記ねじ穴との交点で規定される穴円（ＣＳ）であって、穴径（ＤＳ）を有する、穴円（ＣＳ）と、を備える、ねじ穴と、
を備え、
前記ベース支持面は、前記インサート軸（ＡＩ）に平行な底面図において、ベース直径（ＤＢ）を有する仮想ベース外接円（ＣＢ）を規定し、
前記周面は、第一、第二、第三、第四、第五および第六の側部当接面を備え、
前記切削刃は、前記インサート軸（ＡＩ）に平行な上面図において、刃内接直径（ＤＭ）を有する刃内接円（ＣＭ）を規定し、前記切削刃は、正確に３つの主副刃と正確に３つの二次副刃を備え、前記主副刃は前記二次副刃と交互に並び、前記主副刃と前記二次副刃の間の各交点にコーナー副刃を有し、
前記ベース外接直径（ＤＢ）が前記刃外接直径（ＤＥ）よりも小さく、
前記ボイド体積（ＶＳ）と前記材料体積（ＶＦ）との体積比がＶＳ／ＶＦ≧０．３０の条件を満たす、切削インサート。
【請求項２】
前記体積比がＶＳ／ＶＦ＞０．３５の条件を満たす、請求項１に記載の切削インサート。
【請求項３】
前記体積比が０．５＞ＶＳ／ＶＦの条件を満たす、請求項１または２に記載の切削インサート。
【請求項４】
前記穴径（ＤＳ）と前記刃内接直径（ＤＭ）とのインサート厚さ直径比が、ＤＳ／ＤＭ＞０．６０の条件を満たす、請求項１〜３のいずれか一項に記載の切削インサート。
【請求項５】
前記インサート厚さ直径比が、０．８０＞ＤＳ／ＤＭの条件を満たす、請求項４に記載の切削インサート。
【請求項６】
主副刃長（ＬＭ）と、隣接する前記コーナー副刃の半分をそれぞれが含む二次副刃長（ＬＳ）との刃長比が、ＬＭ／ＬＳ＞０．８０の条件を満たす、請求項１〜５のいずれか一項に記載の切削インサート。
【請求項７】
前記刃長比が、ＬＭ／ＬＳ＞１．０の条件を満たす、請求項６に記載の切削インサート。
【請求項８】
二次刃長ＬＳは、それに隣接する前記コーナー副刃の半分を含み、有効ランプ刃長（ＬＲ）は、逃げ周面部分に隣接して測定された前記二次副刃の長さであり、０．４ＬＳ＞ＬＲ＞０．８ＬＳの条件を満たす、請求項１〜７のいずれか一項に記載の切削インサート。
【請求項９】
各二次副刃に隣接する前記周面の一部分を除き、前記第二の切削副刃に隣接する前記周面の残部分は、前記インサート軸と平行である、請求項１〜９のいずれか一項に記載の切削インサート。
【請求項１０】
前記インサート軸（ＡＩ）に平行な上面図において、前記主副刃と前記二次副刃との間に形成される全ての内角が鈍角である、請求項１〜１０のいずれか一項に記載の切削インサート。
【請求項１１】
前記刃外接直径（ＤＥ）が、ＤＥ＜６ｍｍの条件を満たす、請求項１〜１０のいずれか一項に記載の切削インサート。
【請求項１２】
前記刃外接直径ＤＥが、ＤＥ＞４ｍｍの条件を満たす、請求項１１に記載の切削インサート。
【請求項１３】
前記ベース支持面が前記切削インサートの唯一の研削面である、請求項１〜１２のいずれか一項に記載の切削インサート。
【請求項１４】
前記６つの側部当接面は前記ベース支持面に対して垂直である、請求項１〜１３のいずれか一項に記載の切削インサート。
【請求項１５】
逃げ凹部が、各二次副刃の一部分の下に形成される、請求項１〜１４のいずれか一項に記載の切削インサート。
【請求項１６】
前記インサート軸（ＡＩ）に平行な底面図において、当接面と隣接する切削刃部分との間の最大間隔が、主副刃に隣接して配置される、請求項１〜１５のいずれか一項に記載の切削インサート。
【請求項１７】
前記インサート軸（ＡＩ）に平行な底面図において、当接面と隣接する切削刃部分との間の最小間隔が、二次副刃に隣接して配置される、請求項１６に記載の切削インサート。
【請求項１８】
工具ホルダであって、
後端と、
前端と、
前記後端から前記前端まで延在する工具外周と、
前記工具ホルダの中心を通って延在する回転軸であって、前記後端から前記前端まで延在する前向き方向と、前記前向き方向とは反対の後ろ向き方向と、前記回転軸に垂直で、前記回転軸から前記工具外周に向かう外向き方向と、前記外向き方向とは反対の内向き方向とを規定する、回転軸と、
前記後端の前方に延在するシャンク部分と、
前記シャンク部分の前方に前記前端まで延在する切削部分であって、前記前端に工具直径（ＤＴ）と、前記前端と前記工具外周との交点から後方に延在する正確に２つの円周方向に離間した縦溝とを有する、切削部分とを備える、工具ホルダにおいて、
前記縦溝のそれぞれは、前記前端と前記工具外周との前記交点に、そこから形成されたポケットを備え、
前記２つのポケットのそれぞれは、
シート当接面と、
前記シート当接面に開口するねじ付きポケット穴と、
前記シート当接面を横切る第一、第二および第三の横方向当接面と、
を備え、
各第一の横方向当接面は、前記工具外周に隣接して位置し、前記外向き方向および前記前向き方向に延在し、
各第二の横方向当接面は、前記第一の横方向当接面よりも前記回転軸に近く、第一の逃げ凹部によって前記第一の横方向当接面から分離され、各第二の横方向当接面は、前記内向き方向および前記前向き方向に延在し、
各第三の横方向当接面は、前記第二の横方向当接面よりも回転軸により近く、かつより前方に位置し、前記第二の逃げ凹部によって前記第二の横方向当接面から分離され、各第三の横方向当接面は、前記内向き方向および前記前向き方向に延在し、
前記工具直径（ＤＴ）は、ＤＴ＜１１ｍｍの条件を満たす、工具ホルダ。
【請求項１９】
前記第二および第三の横方向当接面は、前記シート当接面の平面図において、互いに平行ではない、請求項１８に記載の工具ホルダ。
【請求項２０】
前記２つのポケットの間で、前記工具ホルダの前記前端から凹んだ最前点まで支持ウェブが延在する、請求項１８または１９に記載の工具ホルダ。
【請求項２１】
前記支持ウェブは、薄い細長い形状を有する、請求項２０に記載の工具ホルダ。
【請求項２２】
（ａ）前記支持ウェブの最前面の中央部分が平面状である、もしくは（ｂ）前記工具ホルダの側面図において、前記支持ウェブの最前面が凹状に形成される、または（ｃ）その両方である、請求項２０または２１に記載の工具ホルダ。
【請求項２３】
前記第三の横方向当接面は、前記支持ウェブ上に少なくとも部分的に形成される、請求項１８〜２２のいずれか１項に記載の工具ホルダ。
【請求項２４】
請求項１８〜２３のいずれか一項に記載の工具ホルダと、
前記工具ホルダの前記ポケットのうちの１つに取り付けられた請求項１〜１７のいずれか一項に記載の切削インサートであって、
前記インサートの主副刃のうちの正確に１つは、前記工具ホルダの前方に延在し、
前記インサートの二次副刃のうちの正確に１つは、前記工具ホルダの前方に延在し、
前記インサートの二次副刃のうちの正確に１つは、前記工具外周の外向きに延在する、切削インサートと、
を備える、インサートミル。
【発明の詳細な説明】
【技術分野】
【０００１】
本発明の主題は、インサートミルおよびそのための片面三方向割出し可能なミーリングインサート（以下、「インサート」ともいう）に関する。より詳細には、比較的小さいそのようなインサートおよび工具ホルダであって、送りミーリング操作のために構成されたものに関する。
【背景技術】
【０００２】
本発明の目的のために、エンドミルは、理論的には、２つの一般的なグループ、すなわち、インサートミルおよびソリッドエンドミルに分けることができる。
【０００３】
インサートミルは、ポケットを有する工具ホルダと、ポケット内に取り付けられるように構成された、典型的には割出し可能な交換可能なインサートとを備えるミーリング工具である。インサートミルの利点は、比較的高価で硬い材料で作られた交換可能なインサートが、ミーリング工具の比較的小さな部分を構成することである。工具ホルダは、ミーリング中にコレットまたはチャックによってしっかりと保持されるシャンクを備える。
【０００４】
小さなインサートを定期的に交換する必要があり、工具ホルダを定期的に交換する必要が少ないインサートミルとは異なり、一体的に形成された歯を備えるソリッドエンドミルは、その全体が摩耗した後に交換される。また、ソリッドエンドミルも、ミーリング中にコレットまたはチャックによってしっかりと保持される一体的に形成されたシャンクを備える。したがって、ソリッドエンドミルは、インサートミルに比べて、著しく高価な材料を利用する。コストが比較的高価であるにもかかわらず、ソリッドエンドミルのインサートミルに対する利点の１つは、ソリッドエンドミルの単一の一体成形ボディが比較的小さな直径（典型的には２０ｍｍ未満の直径で、より小さい直径がより一般的であり、例えば、約１２ｍｍ以下の直径）で製造できることであり、インサートミルで可能または実用的である場所よりも、比較的より小さな場所でのミーリングが可能になることである。
【０００５】
したがって、本発明は、２０ｍｍ以下、特に９〜１６ｍｍの範囲の工具切削直径（「切削直径」とも呼ばれる）において、中実エンドミルと機能的かつ経済的に競合するようにする一連の設計特徴を有するインサートおよびインサートミルを対象とする。より具体的には、９〜１２ｍｍの範囲のものである。
【０００６】
関心のある文献は、特許文献１であり、これは、小径工具ホルダ用の片面二方向割出し可能なインサートを開示している。
【先行技術文献】
【特許文献】
【０００７】
【特許文献１】欧州特許第３０５０６５５号
【発明の概要】
【発明が解決しようとする課題】
【０００８】
本発明の目的は、改良された三方向割出し可能なミーリングインサートおよびそのためのインサートミルを提供することである。
【課題を解決するための手段】
【０００９】
本発明は、小径工具ホルダのために、送りミーリング操作用の片面三方向割出し可能な切削インサートを提供する。特許文献１で開示された２つの割出し可能な位置よりも、３つの割出し可能な位置が一般的に好まれるが、特許文献１で選択された設計は、割出し可能な位置を２つしか有さないことが意図的に選択された。その理由は、おそらく、これが発明者の考案した小径工具ホルダの最適設計だったからである。
【００１０】
特に、三方向割出し可能な切削インサートは、二方向割出し可能な切削インサートと比較した場合、多くの点で不利である。第一に、製造上の精度が悪いので、（工具当接面によって形成される鋭角による）逃げ（ｒｕｎｏｕｔ）により大きな影響を及ぼし、機械加工中の安定性がますます悪くなるからである。第二に、切削インサートの寸法が大きくなると、切削刃に切削力が加わったときに、モーメントが大きくなり、機械加工中の安定性がますます悪くなるからである。第三に、そしておそらく最も重要なことは、三方向割出し可能なインサートは幅が広いので、以下でさらに論じるように、小径工具の設計で、より多くの問題があることである。
【００１１】
それにもかかわらず、本発明は、非常に小さい直径のインサートミル（すなわち、９〜１２ｍｍ、またはより具体的には約１０ｍｍの切削直径を有するもの）の場合でさえ、例えば、（少なくとも主切削刃に関して）略三角形の形状の三方向割出し可能なインサートが、公知の先行技術と比較して全体的な利益を提供し得ると考える。
【００１２】
上述のように、送りミーリング操作のための三方向割出し可能なインサートは、例えば、特許文献１（米国特許出願公開第２０１８／０１５５５４号でもある）に示されるタイプの二方向割出し可能インサートよりも比較的広い。別の言い方をすれば、半径方向の寸法（すなわち、工具ホルダに取り付けられた場合には、回転軸に対して垂直な方向）が比較的大きいので、従来は、比較的大きな直径の工具での使用に限定されてきた。この理由は、合理的なサイズの主切削刃（送りミーリングインサートミルの主切削刃がこの操作を提供する刃である）と三方向対称性を提供するために、インサートの半径方向寸法は切削刃長に依存するからである。このことは、特許文献１に示されている長尺インサートタイプの側部支持面には当てはまらない。これは、主切削刃の切削刃長に依存しない半径方向寸法を有し、そのねじ穴に隣接して必要とされる最小限の壁強度に応じて、最小限に抑えることができる。三方向割出し可能なインサートは、その半径方向寸法を同じように最小化することができないので、そのようなインサートを保持するように構成された工具は、そのコアの材料を削減している。このような削減は、主に軸方向の力を有するドリル、または依然として大きなコアサイズを有する直径の大きなドリルではそれほど重要ではないが、大きな半径方向切削力を有する小径ミーリング工具に関する本発明では非常に重要である。特許文献１の図１３に注目すると、この図では、コア径は、図示された各切削インサートの幅に概ね対応していることが分かる。コア径を小さくすると、工具ホルダが許容できないほど曲がる可能性の生じる懸念があることが理解されるであろう。比較的小径のドリルが知られているが、工具ホルダの非軸方向の動きを含むミーリング操作の性質により、インサートミルは、ドリルよりも大きな半径方向の力を受けることが理解されるであろう。
【００１３】
したがって、本発明は、特に三方向割出し可能なインサートを提供する場合に、より大きな切削工具直径を有するインサートミルよりも設計が著しく困難な９ｍｍ〜１２ｍｍの切削工具直径、特に約１０ｍｍの切削工具直径のためのインサートミルを提供する。
【００１４】
さらに、いくつかの有利な特徴が組み込まれており、それらの各々は、以下に記載されるように、小径のインサートミルが、同様の直径のソリッドエンドミルに対して競合するために、経済的に製造できるように設計される。
【００１５】
本発明の第一の態様によれば、ポジティブな基本形状を有し、ボイド体積ＶＳと、切削インサートの材料体積によって規定される材料体積ＶＦとの体積比ＶＳ／ＶＦを有し、ＶＳ／ＶＦ≧０．３０の条件を満たす片面三方向割出し可能な切削インサートが提供される。
【００１６】
本発明の第二の態様によれば、ポジティブな基本形状を有する片面三方向割出し可能な切削インサートが提供され、この切削インサートは、切削インサートの材料の量によって規定される材料体積（ＶＦ）と、すくい面と、すくい面と対向して位置するベース支持面と、ベース支持面に対して垂直で、インサートの中心を通って延在するインサート軸（ＡＩ）であって、ベース支持面からすくい面に向かう上向き方向と、上向き方向と反対の下向き方向と、上向き方向および下向き方向に垂直で、インサート軸から離れるように延在する外向き方向を規定する、インサート軸（ＡＩ）と、ベース支持面からすくい面の最高点まで、インサート軸に平行に測定可能な切削インサート高さ（ＨＩ）と、すくい面とベース支持面とを接続する周面と、周面とすくい面との交点に沿って形成された切削刃であって、インサート軸（ＡＩ）と平行な図において、刃外接直径（ＤＥ）を有する仮想刃外接円（ＣＥ）を規定する、切削刃と、すくい面およびベース支持面に開口するねじ穴であって、ベース支持面との交点にあるねじ穴底部と、すくい面との交点にあるねじ穴頂部と、ねじ穴底部からねじ穴頂部まで延在するボイドの体積として計算されるボイド体積（ＶＳ）と、インサート軸（ＡＩ）に平行な図では、すくい面とねじ穴との交点で規定される穴円（ＣＳ）であって、穴径（ＤＳ）を有する、穴円（ＣＳ）と、を備える、ねじ穴と、を備え、ベース支持面は、インサート軸（ＡＩ）に平行な底面図において、ベース直径（ＤＢ）を有する仮想ベース外接円（ＣＢ）を規定し、周面は、第一、第二、第三、第四、第五および第六の側部当接面を備え、切削刃は、インサート軸（ＡＩ）に平行な上面図において、刃内接直径（ＤＭ）を有する刃内接円（ＣＭ）を規定し、切削刃は、正確に３つの主副刃と正確に３つの二次副刃を備え、主副刃は二次副刃と交互に並び、主副刃と二次副刃の間の各交点にコーナー副刃を有し、ベース外接直径（ＤＢ）が刃外接直径（ＤＥ）よりも小さく、ボイド体積ＶＳと材料体積（ＶＦ）の体積比が、ＶＳ／ＶＦ≧０．３０の条件を満たす。
【００１７】
ポジティブな基本形状を有することにより、インサートのベース支持面を逃がすこと（すなわち、図９Ａに示されるように、切削工具直径から内側に離間すること）が可能になる。これは、極めて小径のインサートミルを対象とする本発明にとって重要である。
【００１８】
加えて、特許文献１（段落［００３４］）に開示されているように、機械加工を可能な限り少なくして、プレスプロセスをできるようにすることは、本設計の経済的利点にも貢献する。用語「ポジティブな基本形状」とは、より具体的には、インサートのベース支持面により近い断面積が、インサートからさらに離れた断面積よりも小さいことを意味するが、周面のすべてが連続的に傾斜している必要はないことに留意されたい。例えば、インサートのある部分では、表面は、インサート軸と平行に延在してもよい。ポジティブな基本形状を規定する１つの方法は、ベース外接直径ＤＢが刃外接直径ＤＥより小さいことである。
【００１９】
インサート自体の材料の量を最小限に抑えることができる。上記で規定した体積比ＶＳ／ＶＦが正常に実行されていることが分かった。インサートのサイズは最小限に抑えねばならないが、構造強度のために最小限の量の材料が必要であることが理解されよう。さらに、材料の量を最小限に抑え、三方向割出し可能な位置を提供するによって、経済的利点を提供することができる。
【００２０】
本発明の第三の態様によれば、穴径ＤＳと刃内接直径ＤＭとのインサート厚さ直径比ＤＳ／ＤＭが、ＤＳ／ＤＭ＞０．６０が条件を満たす片面三方向割出し可能切削インサートが提供される。
【００２１】
この態様は、異なる方法ではあるが、構造強度のために必要とされる材料の最小体積を規定するという点で、上記の態様に類似している。図面から、インサートの最も弱い構造部分は、穴径ＤＳと刃内接直径ＤＭとの間にほぼ位置する材料であることに注意されたい。したがって、上記の数値に従ったインサート厚さ直径比ＤＳ／ＤＭが正常に実行された。
【００２２】
本発明の第四の態様によれば、主副刃を有する片面三方向割出し可能な可能切削インサートが提供され、ここで、主刃長ＬＭと、隣接するコーナー副刃の半分をそれぞれ含む二次刃長ＬＳの刃長比ＬＭ／ＬＳは、ＬＭ／ＬＳ＞０．８０の条件を満たす。
【００２３】
通常、送りインサートは、上記で規定した刃長比ＬＭ／ＬＳよりも著しく大きい刃長比を有する。これは、送り操作の大部分が主副刃で行われるため、主副刃をより長くし、加工時間を短縮することが望ましいからである。限定的ではないが、好ましい一実施形態において、主刃長は、より速いテーブル速度を可能にするために短くされる。
【００２４】
本発明の第五の態様によれば、主副刃を有する片面三方向割出し可能な切削インサートが提供され、刃外接直径ＤＥは、ＤＥ＜６ｍｍの条件を満たす。
【００２５】
また、インサートサイズが小さくなると、そのようなインサートを取り外すことができるようにチップサイズを小さくするので、効率が悪くなることが理解されるであろう。それにもかかわらず、２つのインサートを小さい切削直径の工具ホルダに収容するためには、特に小さいインサートが必要である。これは、同様のサイズの二方向割出し可能なインサートを収容することがはるかに容易であったという事実にもかかわらずのことである。
【００２６】
本発明の切削インサートは小型であるため、焼結工程に起因する歪みが合理的な許容範囲内であり、かつ切削インサートの周辺研削を回避できることが分かった。このように、インサートには、研削されていない下部サブ面を設けることができる。当分野で知られているように、研削面は、平面状の研削面が終了し、非研削面が開始する研削ラインおよび不連続ラインによって識別することができる。
【００２７】
上述の主な設計の特徴（すなわち、体積比、インサートの厚さ直径比、刃長比、および小さな刃外接直径ＤＥ）のそれぞれは、個々に有利であると考えられるが、本発明は、ポジティブな基本形状で、三方向割出し可能な片面インサート上の任意のそのような特徴の任意の組合せが、さらに有利であることを想定することを理解されたい。
【００２８】
同様に、以下の任意の特徴のいずれも、上記の各態様に適用することができる。
【００２９】
体積比ＶＳ／ＶＦが大きいほど、利用する材料が少なくなることが理解されるであろう。したがって、体積比は、ＶＳ／ＶＦ＞０．３５の条件を、あるいはＶＳ／ＶＦ＞０．４０の条件を満たすことが好ましい。許容可能な現在の切削条件で、近似的な最大体積比は、理論的に、ＶＳ／ＶＦ＜０．５０の条件を、合理的な安全係数を有する最大体積比は、ＶＳ／ＶＦ＜０．４５の条件を満たすと考えられる。
【００３０】
同様に、インサート厚さ直径比ＤＳ／ＤＭが大きいほど、利用する材料が少なくなる。したがって、体積比は、ＤＳ／ＤＭ＞０．６５の条件を満たすことが好ましい。許容可能な現在の切削条件で、近似的な最大インサート厚さ直径比は、理論的に、ＤＳ／ＤＭ＜０．８０の条件を、合理的な安全係数を有する最大比は、ＤＳ／ＤＭ＜０．７５の条件を満たすと考えられる。
【００３１】
刃長比ＬＭ／ＬＳを大きくすると、主送り刃長を短くして、許容可能な切削幅を確保できる。したがって、いくつかの実施形態では、刃長比ＬＭ／ＬＳは、ＬＭ／ＬＳ＞０．８０の条件を、より好ましくはＬＭ／ＬＳ＞１．０の条件を満たす。経済的な機械加工で、近似的な最大インサート厚さ比は、理論的に、ＬＭ／ＬＳ＜１．２の条件を満たすと考えられる。
【００３２】
二次刃長ＬＳは、二次刃がそれに隣接するコーナー副刃の半分を含む長さであり、有効ランプ刃長ＬＲは、逃げ周面部分に隣接して測定された二次刃の長さである。いくつかの実施形態によれば、有効ランプ刃長ＬＲは、０．４ＬＳ＞ＬＲ＞０．８ＬＳの条件を満たす。
【００３３】
上で規定された刃外接直径ＤＥは、下部サブ面が研削されないことを可能にするが、より小さいサイズでさえも、工具ホルダによって、より容易に収容されることが理解されるであろう。したがって、刃外接直径ＤＥは、ＤＥ＜５．５ｍｍの条件を満たすことが好ましい。
【００３４】
このように三方向割出し可能なインサートで、許容可能な現在の切削条件が可能である近似的で実現可能な最小サイズは、理論的には、ＤＥ＞４ｍｍの条件を、合理的な安全係数を有する最大刃外接直径ＤＥは、ＤＥ＞４．５ｍｍの条件を満たすと考えられる。
【００３５】
好ましくは、正のすくい角が切削刃全体に沿って形成される。
【００３６】
好ましくは、インサート軸ＡＩに平行な上面図において、主副刃と二次副刃との間に形成される全ての内角λは鈍角である。しかしながら、交互の内角のみが同一の値を有してもよいことが理解される。
【００３７】
インサートの周面は、下部サブ面および上部サブ面を備えることができ、下部サブ面は、ベース支持面から上向き、または上向きおよび外向きに延在し、第一、第二、第三、第四、第五、および第六の側部当接面を備え、上部サブ面は下部サブ面とすくい面とを接続し、上部サブ面は、ベース支持面の最小上面高さＨＵで上向き方向に始まる。
【００３８】
好ましくは、下部サブ面は、上向きにのみ延在する（すなわち、ベース支持面に対して垂直に延在する）。これは、安定した取り付け位置を提供し、また工具ホルダポケットのミーリング製造を単純化する（その単純な直交ミーリングを可能にする）と考えられる。
【００３９】
好ましくは、上部サブ面は、下部サブ面よりも外側に延在する。
【００４０】
最小上部サブ面高さＨＵが高いほど、下部サブ面高さをより高くすることが理解されよう。下部サブ面は、軸受機能を提供し、したがって、その高さを最大にすると、ポケット内に取り付けられたとき、インサートの安定性がより高くなる。逆に、切削機能のためには、上部サブ面に十分なサイズが必要である。したがって、最小上部サブ面高さＨＵは、０．３５ＨＩ≦ＨＵ≦０．８５ＨＩの条件を、また最も好ましくは０．４０ＨＩ≦ＨＵ≦０．６０ＨＩの条件を満たすことが好ましい。
【００４１】
上部サブ面は、好ましくは、インサートの全周の周りに延在する少なくとも１つの張出し部分を備えることができる。
【００４２】
好ましくは、各二次刃に隣接する周面の一部分を除き、切削刃に隣接する周面の残部分は、インサート軸と平行である。
【００４３】
好ましくは、逃げ凹部は、各二次副刃の一部分の下に形成される。
【００４４】
インサート軸ＡＩに平行な底面図において、第一、第二、第三、第四、第五および第六の側部当接面は、隣り合う切削刃部分から不均等に離間されている。隣接する切削刃部分から当接面への最大間隔は、主副刃に隣接して配置することができる。隣接する切削刃部分から当接面への最小間隔は、二次副刃に隣接して配置することができる。
【００４５】
切削インサートは、好ましくは、インサート軸に対して１２０°回転対称であり得る。別の言い方をすれば、切削インサートは、３つの同一の側面を有することができる。
【００４６】
切削インサートは、３つの同一サイズの主副刃および３つの同一サイズの二次副刃を備えることができる。
【００４７】
好ましい一例によれば、それぞれの主副刃は、刃長ＬＭを有し、１．８ｍｍ＜ＬＭ＜２．８ｍｍの条件を満たす。
【００４８】
最も好ましくは、ベース支持面は、研削される。一実施形態において、切削インサートのベース支持面のみが研削される。これは、インサートの製造にとって最も経済的である。全ての場合において、下部サブ面が研削されていない場合が有利であることが理解されるであろう。
【００４９】
追加のすくい面の研削操作を行う必要がある実施形態では、ベース支持面および切削刃全体が研削される。別の言い方をすれば、研削操作は、全周面で行われるのではなく、インサートの頂部に沿って行われるだけで、したがって、刃全体が平面内に収容される（すなわち、平面上に存在する）。インサートのこのような頂部研削は、複数のインサートが単一パスで研削されることを可能にすることが理解されるであろう。
【００５０】
また、ベース支持面に平行な平面上に存在する切削刃、すなわち、インサートの側面図において平面状である切削刃を作製することもできる。当業者に知られているように、平面状の切削刃を研削する方が、三次元で平面上に存在しない切削刃よりも経済的である。
【００５１】
好適な性能を提供するために、切削刃に沿った任意の位置で取られた、インサート軸に対して垂直に測定可能な切削刃ランド幅ＷＬは、ＷＬ≦０．１４ｍｍの条件を満たす。ランド幅ＷＬは、０．０２ｍｍ≦ＷＬ≦０．１４ｍｍの条件を、あるいは、さらに好ましくは０．０３ｍｍ≦ＷＬ≦０．１１ｍｍの条件を、最も好ましくは０．０４ｍｍ≦ＷＬ≦０．０８ｍｍの条件を満たすことが好ましい。
【００５２】
本発明の第六の態様によれば、ポジティブな基本形状を有する片面三方向割出し可能な切削インサートが提供され、この切削インサートは、すくい面と、すくい面と対向して位置するベース支持面と、すくい面およびベース支持面に開口するねじ穴であって、ベース支持面に対して垂直で、インサートの中心を通って延在するインサート軸（ＡＩ）に沿って延在するねじ穴と、を備え、インサート軸であって、ベース支持面からすくい面に向かう上向き方向と、上向き方向と反対の下向き方向と、上向き方向および下向き方向に垂直で、インサート軸から離れるように延在する外向き方向を規定する、インサート軸と、すくい面とベース支持面とを接続する周面であって、すくい面に隣接し、張出し部分を備える上部サブ面と、上部サブ面とベース支持面との間の下部サブ面であって、６つの当接面を備えるサブ面を有する、下部サブ面とを有する、周面と、周面とすくい面との交点に沿って形成された切削刃であって、３つの二次副刃と交互に並んだ主副刃と、各主副刃および各二次副刃に配置され、鈍角の内角を形成するコーナー副刃を備える、切削刃と、を備え、各二次副刃は、１つのコーナー副刃に隣接する第一の刃部分と、第一の刃部分から隣接するコーナー副刃の方向に延在する第二の刃部分とを備え、上部サブ面の張出し部分は、第一の刃部分の下の非逃げ面と、第二の刃部分の下の逃げ凹部とを備え、逃げ凹部は、各二次副刃に沿った方向にステップ形状を有する。
【００５３】
切削インサートは、６つの同一の側部当接面を備えることもできる。
【００５４】
ベース支持面は、下部サブ面に形成された６つの側部当接面のそれぞれと内部直角（β１）を形成することができる。
【００５５】
切削刃全体は、平面上に位置することができる。
【００５６】
切削インサートは、切削インサートの材料の量によって規定される材料体積（ＶＦ）と、ベース支持面からすくい面の最高点まで、インサート軸に平行に測定可能な切削インサート高さ（ＨＩ）と、によって、さらに規定され、切削刃は、インサート軸（ＡＩ）と平行な上面図において、刃内接直径（ＤＭ）を有する仮想刃内接円（ＣＭ）と、刃外接直径（ＤＥ）を有する仮想刃外接円（ＣＥ）を規定し、各主副刃は、それに隣接するコーナー刃の長さの半分を含む主副刃長（ＬＭ）を有し、各二次副刃は、それに隣接するコーナー刃の長さの半分を含む二次副刃長（ＬＳ）を有し、ベース支持面は、インサート軸（ＡＩ）に平行な底面図において、ベース直径（ＤＢ）を有する仮想ベース外接円（ＣＢ）を規定し、ねじ穴は、ベース支持面との交点にあるねじ穴底部と、すくい面との交点にあるねじ穴頂部と、ねじ穴底部からねじ穴頂部まで延在するボイドの体積として計算されるボイド体積（ＶＳ）と、すくい面とねじ穴との交点にあるインサート軸（ＡＩ）と平行な図において、規定される穴円（ＣＳ）であって、穴径（ＤＳ）を有する穴円とを備え、ベース外接直径（ＤＢ）は、刃外接直径（ＤＥ）よりも小さく、材料体積（ＶＦ）に対するボイド体積（ＶＳ）の体積比は、ＶＳ／ＶＦ≧０．３０の条件を満たす。
【００５７】
本発明の第七の態様によれば、２つのポケットを備える工具ホルダが提供され、２つのぽポケットは、シート当接面と、シート当接面に開口するねじ付きポケット穴と、直線であり、シート当接面に対して垂直に配向された第一、第二、および第三の横方向当接面とを備え、各第一の横方向当接面は、工具外周に隣接して位置し、外向きおよび前向き方向に延在し、各第二の横方向当接面は、第一の横方向当接面よりも回転軸に近く、第一の逃げ凹部によって第一の横方向当接面から分離され、第二の横方向当接面は、内向きおよび前向き方向に延在し、各第三の横方向当接面は、第二の横方向当接面よりも回転軸により近く、かつより前方に位置し、第二の逃げ凹部によって第二の横方向当接面から分離され、第三の横方向当接面は、内向きおよび前向き方向に延在し、工具直径ＤＴは、ＤＴ＜１１ｍｍの条件を満たす。
【００５８】
本発明の第八の態様によれば、工具ホルダであって、後端と、前端と、後端から前端まで延在する工具外周と、工具ホルダの中心を通って延在する回転軸であって、後端から前端まで延在する前向き方向と、前向き方向とは反対の後ろ向き方向と、回転軸に垂直で、回転軸から工具外周に向かう外向き方向と、外向き方向とは反対の内向き方向とを規定する、回転軸と、後端の前方に延在するシャンク部分と、シャンク部分の前方に前端まで延在する切削部分であって、前端に工具直径（ＤＴ）と、前端と工具外周との交点から後方に延在する正確に２つの円周方向に離間した縦溝とを有する、切削部分とを備える、工具ホルダが提供され、縦溝のそれぞれは、前端と工具外周との交点に形成されたポケットを備え、２つのポケットのそれぞれは、シート当接面と、シート当接面に開口するねじ付きポケット穴と、シート当接面を横切る第一、第二および第三の横方向当接面と、を備え、各第一の横方向当接面は、工具外周に隣接して位置し、外向き方向および前向き方向に延在し、各第二の横方向当接面は、第一の横方向当接面よりも回転軸に近く、第一の逃げ凹部によって第一の横方向当接面から分離され、各第二の横方向当接面は、内向き方向および前向き方向に延在し、各第三の横方向当接面は、第二の横方向当接面よりも回転軸により近く、かつより前方に位置し、第二の逃げ凹部によって第二の横方向当接面から分離され、各第三の横方向当接面は、内向き方向および前向き方向に延在し、工具直径（ＤＴ）は、ＤＴ＜１１ｍｍの条件を満たす。
【００５９】
このような小さな直径の工具ホルダが製造されたとは信じられない（２つのポケットが半径方向に部分的に開口し、ミーリング操作中に工具ホルダの前端の不安定性を増大させ、比較的幅の広い三方向割出し可能なインサートを受け入れるように構成されている）。
【００６０】
さらに、本発明の工具ホルダは、工具ホルダの前端のポケットにのみ関係することに留意されたい。
【００６１】
好ましくは、第二および第三の横方向当接面は、シート当接面の平面図において、互いに平行ではないことが好ましい。
【００６２】
好ましくは、各縦溝は、単一のポケットのみを含む。
【００６３】
好ましくは、工具ホルダは、２つのポケットの間で、工具ホルダの前端から凹んだ最前点まで延在する支持ウェブを備える。
【００６４】
このような小径の工具ホルダでは、構成強度を付加する各要素が重要であることが理解されるであろう。インサートが近接していることを考えると、支持ウェブは、損傷する危険にさらされることなく、それらの間に追加することができなかった。妥協がなされて、工具の前端までずっと延在しない制限されたサイズの支持ウェブの形態となった。
【００６５】
好ましくは、支持ウェブは薄い細長い形状を有する。
【００６６】
好ましくは、支持ウェブの最前面の中央部分は平面状である。
【００６７】
好ましくは、工具ホルダの側面図において、支持ウェブの最前面は凹状に形成される。
【００６８】
好ましくは、第三の横方向当接面は、支持ウェブ上に少なくとも部分的に形成される。
【００６９】
好ましくは、工具直径ＤＴは、ソリッドエンドミルと競合するようにできるだけ小さくする。上記の特徴により、工具直径ＤＴがＤＴ＜１０ｍｍの条件を満たすことに、試験で成功した。工具ホルダの前端で測定される工具直径は、切削工具直径ＤＣよりもわずかに小さいことが理解されよう。近似的な最小工具直径は、理論的に、ＤＴ＞９ｍｍの条件を満たすと考えられる。
【００７０】
このような小径の２つのインサートを収容するために取られた更なる別の手段は、それらの位置を互いに対して調整することであった。通常、両方のインサートがそれらのすくい面を概ね整列させることが好ましいが、小径の工具ホルダの場合には、（例えば、インサートが接触するであろうから）これは不可能である。本発明の好ましい解決策は、各インサートの周面の一部分が他方のインサートに隣接するようにインサートを整列させることである。この特徴に関して、例えば、工具ホルダのポケットと関連して、以下のように説明することもできる。
【００７１】
回転軸ＡＲに平行な前端の図において、シート当接面のうちの一方の前縁から延びる第一の仮想延長線は、他方のシート当接面の前縁から延びる第二の仮想延長線に平行であることができ、中央工具平面ＰＣは、回転軸ＡＲに平行に規定され、各シート当接面が中央工具平面ＰＣに面するように第一の延長線と第二の延長線の間に位置し、第一のシート距離ＤＳ１は、第一の延長線から中央工具平面ＰＣまでで規定され、第二のシート距離ＤＳ２は、第二の延長線から中央工具平面ＰＣまでで規定され、第一のシート距離ＤＳ１と第二のシート距離ＤＳ２の合計である総距離ＤＳ３は、ＤＳ３＜０．３５ＤＴの条件を満たす。好ましくは、総距離ＤＳ３は、ＤＳ３＜０．３０ＤＴの条件を満たす。最小寸法は、好ましくは、ＤＳ３＞０．２０ＤＴである。
【００７２】
好ましくは、各ポケットは、工具ホルダ内に同一に形成され、配向される。
【００７３】
好ましくは、ポケット穴は、横方向当接面までの距離と比較して、同様に、断面を比較的大きくすることができる。これは、ポケット穴径および横方向当接面までの距離から分かり、本発明の寸法を考慮すれば理解できる。
【００７４】
ねじ軸は、好ましくは、シート当接面の中心からオフセットすることができ、すなわち、第一および第二の横方向当接面が互いに最も近い場所に、わずかに近接し、その結果、切削インサートをポケットに保持するねじが、切削インサートを第一および第二の横方向当接面に向かって付勢することになる。
【００７５】
本発明の第九の態様によれば、工具ホルダであって、後端と、前端と、後端から前端まで延在する工具外周と、工具ホルダの中心を通って延在する回転軸であって、後端から前端まで延在する前向き方向と、前向き方向とは反対の後ろ向き方向と、回転軸に垂直で、回転軸から工具外周に向かう外向き方向と、外向き方向とは反対の内向き方向とを規定する、回転軸と、後端の前方に延在するシャンク部分と、シャンク部分の前方に前端まで延在する切削部分であって、前端に工具直径（ＤＴ）と、前端と工具外周との交点から後方に延在する正確に２つの円周方向に離間した縦溝とを有する、切削部分とを備える、工具ホルダが提供され、縦溝のそれぞれは、前端と工具外周との交点に形成された単一のポケットを備え、支持ウェブは、ポケットの間で、工具ホルダの前端から凹んだ最前点まで延在する。
【００７６】
本発明の第十の態様によれば、第七〜第九の態様による工具ホルダと、それに取り付けられた第一〜第六の態様のいずれか一態様による少なくとも１つのインサートとを備えるインサートミルが提供される。
【００７７】
本発明の第十一の態様によれば、上記態様のいずれか１つによる工具ホルダと、上記態様のいずれか１つによる切削インサートであって、切削インサートが工具ホルダのポケットの１つに取り付けられる切削インサートとを備え、インサートの主副刃のうちの正確に１つが工具ホルダの前方に延在し、インサートの副刃のうちの正確に１つが工具ホルダの前方に延在し、インサートの副刃のうちの正確に１つが工具外周の外側に延在するインサートミルが提供される。
【００７８】
本発明の第十二の態様によれば、２つの切削インサートと工具ホルダとを備えるインサートミルが提供され、工具ホルダは、後端と、前端と、後端から前端まで延在する工具外周と、工具ホルダの中心を通って延在する回転軸であって、後端から前端まで延在する前向き方向と、前向き方向とは反対の後ろ向き方向と、回転軸に垂直で、回転軸から工具外周に向かう外向き方向と、外向き方向とは反対の内向き方向とを規定する、回転軸と、後端の前方に延在するシャンク部分と、シャンク部分の前方に前端まで延在する切削部分であって、前端に工具直径ＤＴと、前端と工具外周との交点に、そこから後方に延在する正確に２つの円周方向に離間した縦溝とを有する、切削部分とを備え、縦溝のそれぞれは、前端と工具外周との交点に形成された単一のポケットを備え、各ポケットは、その中に取り付けられた切削インサートを有し、各ポケットは外向き方向に開口し、各切削インサートの主副刃が工具ホルダの前端を越えて前方に延在し、切削インサートの外向き方向の延在は、切削工具直径ＤＣをさらに規定し、切削インサートのそれぞれは、周面とそのすくい面との交点に沿って形成された同一の切削刃を備え、各切削刃は、インサート軸ＡＩに平行な図において、刃外接直径ＤＥを有する仮想刃外接円ＣＥを規定し、（ＤＥ＋ＤＥ）／ＤＣとして規定されるインサートミル比ＲＩＭは、ＲＩＭ＞０．９の条件を満たす。
【００７９】
好ましくは、インサートミル比ＲＩＭは、ＲＩＭ＞１．０を満たす。最大寸法は、好ましくはＤＳ３＜１．４であり、好ましくはＤＳ３＜１．２である。
【００８０】
好ましくは、回転軸ＡＲに平行する前端から見て、各インサートの周面は、他方のインサートの周面部分の一部分に隣接している。
【００８１】
総距離ＤＳ３は、切削インサート高さＨＩよりも大きいことが好ましい。
【００８２】
本発明の主題をより良く理解するために、また、本発明が実際にどのように実行され得るかを示すために、スケールモデルから導出された添付の図面を参照する。
【図面の簡単な説明】
【００８３】
【図１Ａ】本発明の主題による工具ホルダおよびインサートを備えるインサートミルの側面図で、インサートのうちの１つの側面図を示すために回転させた図である。
【図１Ｂ】図１Ａのインサートミルの側面図であり、インサートのうちの１つの正面図を示すために回転させた図である。
【図１Ｃ】図１Ｂのインサートミルの正面端面図である。
【図２】図１Ａに示すインサートのうちの１つの斜視図である。
【図３】図２のインサートの上面図である。
【図４Ａ】図３の線ＩＶＡに沿った断面図である。
【図４Ｂ】図３の線ＩＶＢに沿った断面図である。
【図４Ｃ】図３の線ＩＶＣに沿った断面図である。
【図５Ａ】図２のインサートの側面図である。
【図５Ｂ】図５Ａのインサートの上面図である。
【図５Ｃ】図５Ａのインサートの底面図である。
【図６】図５Ｂの線ＶＩ−ＶＩに沿った断面図である。
【図７Ａ】図１Ａに示すインサートミルの工具ホルダの側面図であり、ポケットのうちの１つの側面図を示すために回転させた図である。
【図７Ｂ】図７Ａの工具ホルダの側面図であり、ポケットのうちの１つの正面図を示すために回転させた図である。
【図７Ｃ】図７Ａの工具ホルダの正面端面図である。
【図７Ｄ】図７Ａの工具ホルダの一部分の斜視図である。
【図８Ａ】図７Ａの工具ホルダのポケットの斜視図である。
【図８Ｂ】図８Ａのポケットの側面図である。
【図８Ｃ】図８Ａのポケットの上面（すなわち軸方向）図であり、また、ポケットのシート当接面の平面図を構成する。
【図９Ａ】図１Ｃに示されているインサートの図であり、工具ホルダおよびねじが示されておらず、工具外接切削直径の円を概略的に示す図である。
【図９Ｂ】図９Ａに示されているインサートの側面図であり、図１Ｂに示されているようなインサートの向きにも対応している。
【図９Ｃ】図９Ｂに示されているインサートと、そのインサートを工具ホルダに取り付けるためのねじの側面図で、図１Ａに示されているようなインサートの向きに対応するように回転された図である。
【発明を実施するための形態】
【００８４】
図１Ａ〜図１Ｃは、送りミーリング操作のために構成されたインサートミル１０を示す。
【００８５】
インサートミル１０は、工具ホルダ１２と、切削インサート１４と、切削インサート１４を工具ホルダ１２に固定するためのねじ１６を備える。
【００８６】
インサートミル１０は、その中心を通って長手方向に延びる回転軸ＡＲを中心に回転するように構成される。
【００８７】
回転軸ＡＲは、相対する軸方向前向き方向とＤＦと軸方向後ろ向き方向ＤＲと、相対する回転切削方向ＤＫと回転非切削方向ＤＮを規定する。
【００８８】
工具ホルダ１２は、後端１３Ａと、前端１３Ｂと、それらの間に延在する工具外周１３Ｃとを備える。
【００８９】
工具ホルダ１２は、シャンク部分１８と、そこから前方に延在する切削部分２０とをさらに備える。
【００９０】
切削部分２０は、正確に２つの縦溝２１を含む。各縦溝２１は、前端１３Ｂと工具外周１３Ｃとの交点に形成されたポケット２２（図８Ａ参照）を備える。
【００９１】
切削インサート１４と、ねじ１６と、ポケット２２は、与えられた例では、同一であり、したがって、１つに関して記載された特徴は、その全てに適用されると考えられるべきである。
【００９２】
ここで、切削インサート１４を図２〜図６を参照して説明する。
【００９３】
切削インサート１４は、ポジティブな基本形状を有する片面三方割出し可能な切削インサートである。この切削インサートは、すくい面２４と、ベース支持面２６と、周面２８と、ねじ穴３０と、切削刃３２とを備える。
【００９４】
インサート軸ＡＩ（図６）は、ベース支持面２６に垂直に、インサート１４の中心を通って延びている。インサート軸ＡＩは、切削インサート１４の方向および特徴を規定するのに役立つように設けられる。一般に、本発明のねじ穴は、インサートの中心に位置し、ベース支持面に対して垂直であることが最も好ましいが、その結果、インサートのインサート軸もねじ穴の中心を貫通して延びることになる。ねじ穴を切削インサートに対して傾斜させることも、あるいは、ねじ穴を完全に中心にしないこともできるが、その結果、ねじ穴軸（図示せず）がインサート軸ＡＩと同軸でないようにすること（一方、本好適な例では、これらは同軸である）も可能なことが理解されるであろう。それにもかかわらず、本発明は、可能な限り材料の使用を最小限に抑えようとするならば、確かに、構造的強度の目的のためには、例示された中心にある垂直のねじ穴が好ましい。したがって、所与の例では、インサート軸ＡＩも、ねじ穴３０の中心を通って延びる。
【００９５】
図６を参照すると、ねじ穴３０は、ねじ穴底部３１と、ねじ穴頂部３３を備えることができる。
【００９６】
図５Ｂでは、穴径ＤＳを規定する穴円ＣＳが示されている。
【００９７】
インサート軸ＡＩは、相対する上向き方向ＤＵと下向き方向ＤＤを規定し、図５Ｃに例示されるように、相対する内向き方向ＤＩと外向き方向ＤＯを規定する。外向き方向ＤＯは、１つの特定方向を規定することを意味せず、むしろ、インサート軸ＡＩから３６０°外向き方向の考えられる全ての方向を規定することを意味し、４つのそのような方向が例示される。これは、逆方向において、内向き方向ＤＩについても当てはまるが、一例のみしか１つの図示されていない。これは、図１Ｃのインサートミル１０に関して示されている内向き方向ＤＩおよび外向き方向ＤＯにも当てはまる。
【００９８】
例えば、図４Ａ〜図４Ｃおよび図６に示すように、すくい面２４は、好ましくは、チップ形成の目的で鋭角の内角αを形成するために、切削刃３２から内向きおよび下向きに傾斜することができる。すくい面２４と周面２８との間に形成される鋭角の内角αは、正のすくい角とも呼ばれる。このような正の角度は、この非限定的であるが好適な例では、回転軸ＡＲに対して傾斜して延在するシート当接面の向きを補償し、正の切削角度自体を提供しない。
【００９９】
ベース支持面２６は、図示されるように、略平面であるが、この規定は、例えば、特許文献１の図７に示されるように、周面２８とベース支持面２６との間に小さな丸みを帯びた遷移刃を含める可能性を妨げるものではないことが理解されるであろう。図示の実施形態では、面取り部２７（図５Ａおよび図５Ｃ）が設けられている。明細書および特許請求の範囲の目的のために、ベース支持面２６は、最下面であり、すなわち、いかなる面取り領域もまたは丸みを帯びた領域も含まないものと考えられる。したがって、図５Ｃでは、ベース支持面２６は、インサート軸ＡＩと平行な図において、ベース直径ＤＢを有する仮想ベース外接円ＣＢを規定する。
【０１００】
図５Ｃを参照すると、切削インサート１４のポジティブな基本形状は、ベース支持面２６が、切削刃３２（図５Ｂ）の外接直径ＤＥよりも小さいベース直径ＤＢを有することを意味する。
【０１０１】
図２、図５Ｃおよび図６を参照すると、周面２８は、下部サブ面３４および上部サブ面３６を備える。下部サブ面３４は、研削されておらず、ベース支持面２６から上方に延在し、第一、第二、第三、第四、第五、および第六の側部当接面３８Ａ、３８Ｂ、３８Ｃ、３８Ｄ、３８Ｅ、３８Ｆ（以下、同一の側部当接面は、一般に「側部当接面３８」として識別される）を備える。半径部分３９（図２）は、側部当接面３８の間に延在するが、図示の例では当接機能を有さない。
【０１０２】
インサートの当接面３８は、図６に最も良く示されているように、ベース支持面２６と内部直角β１を形成する支持面として機能することに留意されたい。
【０１０３】
側部当接面３８のそれぞれは、略平面状である。詳細に説明すると、誇張された概略的な凸状膨出部４０が図３に示されている。膨出部４０は、典型的には、焼結工程から生じる。本発明のインサートは小さいので、このような膨出部４０をもたらす歪みは、研削を必要としないほど十分に小さい。一般的に言えば、このような凸部または凹部（図示しないが、これは、本明細書の目的のために内向き「膨出部」と考えることができる）は、インサートの隣接するコーナーをこのような膨出部に接続する平面からの最大距離として測定される。
【０１０４】
したがって、インサートは、研削されていない下部サブ面を有すると述べられる。図２において、例えば、研削されていない下部サブ面が不連続ライン４２を有するように見えるとしても、これは、湾曲線を示すこの特定の図面の単なる結果である。研削されていない実際の製品は、識別可能なラインを有さず、略平面部分から半径部分３９に滑らかに移行する。
【０１０５】
上部サブ面３６は、この例ではインサート１４全体の周りに延在する張出し部分４４を含む（図４Ａ〜図４Ｃに例示される）。
【０１０６】
図２を参照すると、切削インサート１４は、６つのコーナー刃４６Ａ、４６Ｂ、４６Ｃ、４６Ｄ、４６Ｅ、４６Ｆ（以下、一般に「コーナー刃４６」と呼ばれる）と、３つの同一の主副刃４８Ａ、４８Ｂ、４８Ｃ（以下、一般に「主副刃４８」と呼ばれる）と、３つの同一の二次副刃４７Ａ、４７Ｂ、４７Ｃ（以下「二次副刃４７」と呼ばれる）とを備えることができる。
【０１０７】
図５Ｂを参照すると、切削刃３２に関連して、刃外接直径ＤＥを有する仮想刃外接円ＣＥと、刃内接直径ＤＭを有する仮想刃内接円ＣＭとが示されている。刃外接円ＣＥは、円周方向に延びる切削刃３２の全ての部分を囲む最小直径の円であり、一方、刃内接円ＣＭは、円周方向に延びる切削刃３２内に完全に収まる最大直径の円である。
【０１０８】
様々な特徴の寸法は以下のように示される。すなわち、各コーナー副刃４６は半径Ｒ（図５Ｃ）を有することができ、各主副刃４８は、境界コーナー副刃４６の中心から測定された主副刃長ＬＭを有することができ、主副刃長ＬＭは、送り操作中に使用可能な実際の寸法である。さらに、（境界コーナー副刃４６の中心から測定される）各二次副刃４７は、二次刃長ＬＳを有することができ、二次副刃４７の各ランピング部分４３、すなわち、その下に逃げ周面部分を有する部分、すなわち、その下に逃げ凹部５３を有する部分は、有効ランプ刃長ＬＲを有することができ、切削刃ランド幅ＷＬは、図４Ｂに示される。
【０１０９】
図６を参照すると、切削インサート１４のボイド体積ＶＳは、ねじ穴３０の境界によって規定される。具体的には、ねじ穴高さＨＳは、ベース支持面２６からねじ穴３０の上縁４９までと規定される（図４にも示される）。別の言い方をすれば、ボイド体積ＶＳは、インサート軸ＡＩに垂直な下面ＰＬで規定されたねじ穴３０の底部から、ねじ穴３０とすくい面２４との交点に垂直な上面ＰＴで規定されたねじ穴３０の頂部まで延在する、すなわち、上縁４９の高さで延在するボイド体積として計算される。より正確には、上縁４９は、湾曲したコーナー５１とすくい面２４との交点である。
【０１１０】
材料体積ＶＦは、切削インサート１４を構成する実際の材料の体積である。
【０１１１】
各側部当接面３８は、好ましくは、図６に示す直角β１でベース支持面２６から上方に延びている。
【０１１２】
切削インサート高さＨＩは、ベース支持面２６からすくい面２４の最高点まで延在する（切削刃はすくい面２４の一部であることに留意されたい）。
【０１１３】
張出し部分４４は、ベース支持面２６の上方の最小上部サブ面高さＨＵに最下点６０（図６）を有する。
【０１１４】
上部サブ面３６（図６Ａ）は、上向き方向に、ベース支持面２６の上方の最小上部サブ面高さＨＵから始まり、最小上部サブ面高さＨＵは、インサート軸ＡＩに平行に測定可能である。
【０１１５】
図２に見られるように、二次副刃４７Ａは、１つのコーナー副刃４６Ｂに隣接する第一の刃部分５４と、隣接するコーナー副刃４６Ａの方向に第一の刃部分５４から延在する第二の刃部分５６とを有する。図２、図４Ａおよび図４Ｂを参照すると、各二次副刃４７の第二の刃部分５６の下に逃げ凹部５３が形成されている。逃げ凹部５３は、二次副刃４７に（下側に）沿った方向にできるだけ短くすることで、切削刃の隣接部分を弱めることなく所望のランピング機能能力を提供する。例えば、二次副刃４７Ａの第一の部分５４の下には、図２および図４Ａに示すように、張出し部分４４に逃げ部がない。その結果、垂直に延在する平面状の非逃げ面５５が得られ、この非逃げ面は、第一の刃部分５４の下方に、これに沿って延在する。これとは対照的に、二次副刃４７Ａの第二の刃部分５６の下方には、張出し部分４４がベース支持面２６の方向に内向きに傾斜しており、そのため、図２および図４Ｂに示すように、第二の刃部分５６の下方に、これに沿って逃げ凹部５３を形成する。別の言い方をすれば、逃げ凹部５３は、二次副刃４７に沿った方向にステップ形状を有するものとして説明することができる。
【０１１６】
ステップ形状により、切削刃の残部分を強化することができる。代替として、第二の副刃４７に沿った方向に徐々に逃げ形状を使用することもできる。
【０１１７】
図４Ｂは、逃げ角εを示す。注目すべきは、断面図４Ａおよび図４Ｃのすくい面２４に隣接する他方の面は垂直であり、それによって、好ましいより強力な切削刃の支持を提供する。
【０１１８】
図５Ｃを参照すると、隣接する切削刃部分からの当接面への最大間隔５７が、主副刃４８に隣接して示されている。最小間隔５９は、二次副刃４７に隣接して示されている。より詳細には、逃げ凹部５３に隣接している。
【０１１９】
ここで、図７Ａ〜図８Ｃを参照すると、ポケット２２は、シート当接面６２と、シート当接面６２に開口し、最小ポケット穴内接円ＩＰおよび関連する最小ポケット穴径ＤＰを規定するねじ付きポケット穴６４を備え、シート当接面６２に垂直な第一、第二、および第三の横方向当接面６６Ａ、６６Ｂ、６６Ｃ（集合的に「横方向当接面６６」と呼ばれる）が示されている。
【０１２０】
横方向当接面６６の間には、第一および第二の横方向凹部６７Ａ、６７Ｂ（集合的に「横方向凹部６７」と呼ばれる）がある。横方向凹部６７の使用は、インサート１４とポケット２２との接触点を規定するのに役立つ。特に、接触点は、図８Ａにハッチング線で示されている。
【０１２１】
ポケット穴６４は、横方向当接面までの距離と比較して、同様に、断面を比較的大きくすることができる。これは、ポケット穴径ＤＰと、ポケット穴６４から横方向当接面６６までの距離から分かる。
【０１２２】
第一、第二および第三の横方向当接面６６Ａ、６６Ｂ、６６Ｃは、好ましくは、インサートの当接面３８と同じ直交内角β１で配向される。
【０１２３】
ねじ軸ＡＳは、好ましくは、シート当接面６２の中心からオフセットすることができ、すなわち、横方向当接面６６が互いに最も近い場所（すなわち、全体的に６８で指定される領域）にわずかに近接し、その結果、切削インサートをポケット２２に保持するねじが切削インサートを横方向当接面に向かって付勢することになる。
【０１２４】
図７Ａに示すように、ポケットは、ポケット傾斜角μによって示されるように、回転軸ＡＲに関して前向き方向ＤＦおよび切断方向ＤＣに傾いていることが好ましい。ポケット傾斜角μは、好ましくは２°≦μ≦９°の条件を、より好ましくは５°≦μ≦８°の条件を満たすことができる。
【０１２５】
図７Ｃを参照すると、一方のシート当接面６２の前縁７２から延びる第一の仮想延長線Ｌ１は、他方のシート当接面６２の前縁７４から延びる第二の仮想延長線Ｌ２と並行とすることができる。中央工具平面ＰＣは、回転軸ＡＲを含み、第一の延長線Ｌ１と第二の延長線Ｌ２との間に、それらに平行に配置され、こうして、各シート当接面６２が中央工具平面ＰＣに面するようになる。第一のシート距離ＤＳ１は、第一の延長線Ｌ１から中央工具平面ＰＣまで規定される。第二のシート距離ＤＳ２は、第二の延長線Ｌ２から中央工具平面ＰＣまで規定される。総距離ＤＳ３とは、第一のシート距離ＤＳ１と第二のシート距離ＤＳ２の合計である。
【０１２６】
総距離ＤＳ３は、インサートに対して相対的に規定することもできる。図１Ｃを参照すると、総距離ＤＳ３は切削インサート高さＨＩよりも大きくなっている（図１Ｃではインサートが傾斜しているため、図６にのみ表示されている）。寸法が与えられると、空間に制限があることが理解されるであろう。インサートが、本配置の代わりにそれらの周面が互いに離れて置かれる場合（すなわち、図７Ｃの右側のインサートをページの下部に向かって、左側のインサートを上部に向かって移動させる場合）、（インサートを支持する材料が少ないので）ポケット２２の工具ホルダの構造強度が弱まることも理解されるであろう。逆に、インサート１４を逆方向に動かすと、縦溝内のチップ排出空間が不十分になる可能性がある。したがって、最も好ましい配置は、周面が互いに隣接していることである。
【０１２７】
図９Ａおよび図９Ｂを参照すると、図９Ｂは、工具の正面端面図におけるように、着座した切削インサートの相対位置を示しており、切削インサート間には、小さな隙間しかない。これを軽減するために、インサートは、図９Ａに示されるように、ポジティブな基本形状と、その位置決めが提供される（すなわち、切削刃は隣接せず、各インサートの周面は、他方のインサートの周辺部分の一部に隣接する）。このような特徴を使用することは、（工具ホルダの直径に対して）比較的大きなインサートを、比較的小さい外接切削直径の円ＣＣ内に取り付ける１つの方法である。これらの特徴に対する比は、上述されている。
【０１２８】
図７Ａおよび図７Ｄを参照すると、インサート１４が近接しているために、長さに制約のある支持ウェブ７０が提供されている。
【０１２９】
支持ウェブ７０は、工具ホルダ１２の前端１３Ｂから後方に凹んだ最前点７１Ａ（その中心において、回転軸ＡＲとも一致する）まで延びている。なお、図示の円形状７１Ｂは、単に平面を示しているに過ぎない。図７Ａに示されるように、最前面７１Ｃは凹状に形成される。
【０１３０】
ねじ１６は、取り付けられると、切削インサート１４を固定し、それによって、ベース支持面２６がシート当接面６２に当接し、インサートの当接面３８のうちの３つがポケットの３つの横方向当接面６６に当接する。切削インサート１４は、ポケット２２内で、位置決めを３回繰り返すことができ、どの特定の当接面が任意の所与の時間に接触するかの正確な指定は重要ではないことが理解されよう。
【０１３１】
例えば、図１Ａから、上部サブ面３６は工具ホルダ１２に接触せず、したがって、わずかに異なる切削刃を有するインサートを同じ工具ホルダ１２に取り付けることができることに留意されたい。
【０１３２】
図１Ｂにおいて、送り操作のために、主切削副刃４８は、ワークピース（図示せず）に接触する。切削深さＡＰは、他のタイプのミーリング操作と比較して比較的浅くなる。
【０１３３】
なお、この非限定的な例では、主切削副刃４８は、回転軸ＡＲから離間している（間隔Ｆで例示）。これは、典型的には不利であるが、非常に小径のインサートミルに許容可能な切削幅ＡＥを与える。
【０１３４】
ランピング操作の場合、ランピング部分４３のみがワークピースに接触する（二次副刃４７の残部分は使用されない）。
【図１Ａ】
2021504161.tif 000003
【図１Ｂ】
2021504161.tif 000004
【図１Ｃ】
2021504161.tif 000005
【図２】
2021504161.tif 000006
【図３】
2021504161.tif 000007
【図４Ａ】
2021504161.tif 000008
【図４Ｂ】
2021504161.tif 000009
【図４Ｃ】
2021504161.tif 000010
【図５Ａ】
2021504161.tif 000011
【図５Ｂ】
2021504161.tif 000012
【図５Ｃ】
2021504161.tif 000013
【図６】
2021504161.tif 000014
【図７Ａ】
2021504161.tif 000015
【図７Ｂ】
2021504161.tif 000016
【図７Ｃ】
2021504161.tif 000017
【図７Ｄ】
2021504161.tif 000018
【図８Ａ】
2021504161.tif 000019
【図８Ｂ】
2021504161.tif 000020
【図８Ｃ】
2021504161.tif 000021
【図９Ａ】
2021504161.tif 000022
【図９Ｂ】
2021504161.tif 000023
【図９Ｃ】
2021504161.tif 000024
【国際調査報告】
2021504161.tif 000025
2021504161.tif 000026
2021504161.tif 000027
2021504161.tif 000028